(57)【要約】【課題】パレットの上面デッキを容易に分解可能な構成とする技術を提供すること。【解決手段】パレット１が組み立てられた状態においては、前枠部材２３、補強部材２６、中枠部材２５、補強部材２６および後枠部材２４が左枠部材２１および右枠部材２２に分離可能に係合しており、天板１１の左枠部材１６および右枠部材１７が、左枠部材２１および右枠部材２２を両側から挟むように対向して配置されることにより、左枠部材２１および右枠部材２２が互いに離れる方向へ移動するのを規制するので、上面デッキ１０が分解不可能となる。一方、例えば天板１１を上面デッキ本体２０から取り外した場合など、天板１１による左枠部材２１および右枠部材２２の移動規制が解除された場合には、上面デッキ１０が分解可能となる。【選択図】図２
2005170458.tif 000002
【特許請求の範囲】
【請求項１】
上面デッキと、
前記上面デッキの下方に対向して配された下面デッキと、
対向する前記上面デッキおよび前記下面デッキを連結する支柱と、
を備えるパレットであって、
前記上面デッキは、
一対の対向する対向部材と、
当該パレットが組み立てられた状態において前記一対の対向部材の間に位置するとともに、前記一対の対向部材に分離可能に係合する係合部材と、
当該パレットが組み立てられた状態において前記係合部材によって移動を規制された方向以外へ前記一対の対向部材が移動するのを規制可能な移動規制部と、
を有し、
当該パレットが組み立てられた状態において前記移動規制部によって前記一対の対向部材の移動が規制された場合には前記上面デッキが分解不可能となり、一方、当該パレットが組み立てられた状態において前記移動規制部によって前記一対の対向部材の移動規制が解除された場合には前記上面デッキが分解可能となることを特徴とするパレット。
【請求項２】
請求項１に記載のパレットにおいて、
前記一対の対向部材または前記係合部材の一方には、当該パレットが組み立てられた状態において前記一対の対向部材または前記係合部材の他方へ向けて突出する突起部が設けられ、
一方、前記一対の対向部材または前記係合部材の他方には、当該パレットが組み立てられた状態において前記一対の対向部材または前記係合部材の一方に形成された前記突起部を挿入可能な挿入部が設けられており、
前記係合部材は、当該パレットが組み立てられた状態において前記突起部を前記挿入部に挿入させることにより、前記一対の対向部材に分離可能に係合すること
を特徴とするパレット。
【請求項３】
請求項１または請求項２に記載のパレットにおいて、
前記移動規制部は、一対の移動規制片と当該一対の移動規制片を連結する連結部とを有しており、
一方、前記一対の対向部材は、一対の係止部を有しており、
当該パレットが組み立てられた状態において前記一対の移動規制片が前記一対の係止部を両側から挟むよう対向して配置された場合には、前記係合部材によって移動を規制された方向以外へ前記一対の対向部材が移動するのを規制可能であることを特徴とするパレット。
【請求項４】
請求項３に記載のパレットにおいて、
前記連結部は、前記一対の対向部材の上方に位置し、物品を載置可能な載置部として構成されていることを特徴とするパレット。
【発明の詳細な説明】
【技術分野】
【０００１】
本発明は、パレットの上面デッキを容易に分解可能な構成とする技術に関する。
【背景技術】
【０００２】
従来より、略方形の上面デッキと、上面デッキの下方に対向して配された略方形の下面デッキと、対向する上面デッキの隅部および下面デッキの隅部を連結する支柱と、を備える金属製のパレットが知られている。このようなパレットの中には、上面デッキを構成するに際して、隣り合う部材部材同士や重なり合う部材同士を、ボルト締めや溶接、リベット加工などにより接合することにより実現するものがある（例えば、特許文献１参照。）。
【特許文献１】特開２００３−１９１９５４号公報（第３，４頁、図１）
【発明の開示】
【発明が解決しようとする課題】
【０００３】
しかし、上述のようなパレットにおいては、上面デッキを、隣り合う部材同士や重なり合う部材同士をボルト締めなどで接合することにより構成しているため、廃棄時など上面デッキを分解する場合に、全ての部材同士の接合部分を分離するのに手間がかかっていた。特に、部材同士を溶接やリベット加工などで接合された接合部分については分離が困難であり、上面デッキの分解により手間がかかる一因となっていた。さらに、パレットに物品を積んで客先に納入した後に、パレットを分解して廃却する場合には、上述のように分解が困難なため客先に負担を掛けていた。
【０００４】
本発明は、このような不具合に鑑みなされたものであり、その目的とするところは、パレットの上面デッキを容易に分解可能な構成とする技術を提供することにある。
【課題を解決するための手段】
【０００５】
上記課題を解決するためになされた請求項１に係るパレットでは、上面デッキ（１０：この欄においては、発明に対する理解を容易にするため、必要に応じて「発明を実施するための最良の形態」欄で用いた符号を付すが、この符号によって請求の範囲を限定することを意味するものではない。）と、前記上面デッキの下方に対向して配された下面デッキ（３０）と、対向する上面デッキおよび下面デッキを連結する支柱（４１，４３）と、を備えている。このうち上面デッキは、一対の対向する対向部材（２１，２２）と、係合部材（２３，２４，２５，２６）と、移動規制部（１１）と、を有している。このうち、一対の対向部材の具体例としては、断面が方形などの多角形の長尺部材や、断面が略Ｌ字の長尺部材、断面が略円形の長尺部材などを互いが平行となるよう配置したものが挙げられる。また、係合部材は、当該パレットが組み立てられた状態において一対の対向部材の間に位置するとともに、一対の対向部材に係合可能である。さらに、移動規制部は、当該パレットが組み立てられた状態において係合部材によって移動を規制された方向以外へ一対の対向部材が移動するのを規制可能である。そして、当該パレットが組み立てられた状態において移動規制部によって一対の対向部材の移動が規制された場合には上面デッキが分解不可能となる。一方、当該パレットが組み立てられた状態において移動規制部によって一対の対向部材の移動規制が解除された場合には上面デッキが分解可能となる。
【０００６】
このことにより本発明のパレットでは、従来のパレットのように上面デッキの構成部材同士を接合する場合に比べて、パレットの上面デッキを容易に分解可能とすることができる。
【０００７】
この場合、上述の係合部材が、当該パレットが組み立てられた状態において一対の対向部材に分離可能に係合する具体的構成としては、次のようなものが考えられる。すなわち、請求項２のように、一対の対向部材または前記係合部材の一方には、当該パレットが組み立てられた状態において一対の対向部材または係合部材の他方へ向けて突出する突起部（２１ｅ，２２ｅ）が設けられている。一方、一対の対向部材または係合部材の他方には、当該パレットが組み立てられた状態において一対の対向部材または係合部材の一方に形成された突起部を挿入可能な挿入部（２３ａ，２４ａ，２５ａ，２６ａ）が設けられている。そして、当該パレットが組み立てられた状態において突起部を挿入部に挿入させることにより、係合部材が一対の対向部材に分離可能に係合することが考えられる。
【０００８】
また、上述の移動規制部の具体的構成としては、次のようなものが考えられる。すなわち、請求項３のように、移動規制部が、一対の移動規制片（１６，１７）と当該一対の移動規制片を連結する連結部（１２，１４，１５）とを有しており、一方、一対の対向部材が一対の係止部（２１ｂ，２２ｂ）を有しており、当該パレットが組み立てられた状態において一対の移動規制片が一対の対向部材の一対の係止部を両側から挟むよう対向して配置された場合には、前記係合部材によって移動を規制された方向以外へ前記一対の対向部材が移動するのを規制可能であることが考えられる。
【０００９】
ところで、パレットの中には、上面デッキの上部に、物品を載置可能な載置部（１２）を有するものがある。このようなパレットにおいては、上面デッキが、一対の対向部材の上方に位置し、物品を載置可能な載置部を有しており、移動規制部と載置部とが一体に構成されていることが考えられる。このように移動規制部と載置部とを一体に構成すれば、移動規制部と載置部とを別体に構成する場合に比べて上面デッキの部品点数を低減することができる。また、その分上面デッキを分解する手間を省くことができる。
【００１０】
また、請求項４のように、連結部が、一対の対向部材の上方に位置し、物品を載置可能な載置部として構成されていることが考えられる。このようにすれば、移動規制部と載置部とを別体に構成する場合に比べて上面デッキの部品点数を低減することができる。また、その分上面デッキを分解する手間を省くことができる。
【００１１】
なお、上面デッキの形状は、円形や、略方形などの多角形など様々に構成することが考えられる。
ところで、上面デッキおよび下面デッキにおける支柱が連結する部分、および支柱を次のように構成することが考えられる。すなわち、支柱を棒材で構成するとともに、支柱の両端に、雄ねじ部または雌ねじ部の何れかを互いに巻き方向が異なるよう形成し、一方、上面デッキおよび下面デッキにおける支柱が連結する部分には、支柱の両端それぞれに形成されたねじ部に対応する雌ねじ部または雄ねじ部の何れかをそれぞれ形成することが考えられる。このように構成することにより次のような作用を奏する。すなわち、互いに対応する雄ねじ部と雌ねじ部とが対向するよう上面デッキ、下面デッキおよび支柱を配した状態において支柱を所定方向に回転させると、各雄ねじ部が、対向する雌ねじ部に取り付けられ、支柱によって上面デッキと下面デッキとが連結される。一方、支柱によって上面デッキと下面デッキとが連結した状態において支柱を逆方向に回転させると、各雄ねじ部が、取り付けられた雌ねじ部から外れて上面デッキおよび下面デッキが支柱から分離する。このことにより、支柱によって上面デッキと下面デッキとを強固に連結するとともに、支柱によって上面デッキと下面デッキとを容易に分解可能とすることができる。
【００１２】
ところで、少なくとも上面デッキを構成する各部材を、木材や樹脂材にて構成することが考えられる。しかし、このような場合、パレットの強度や耐用性に問題がある。そこで、少なくとも上面デッキを構成する各部材が、金属で構成されているが考えられる。このようにすれば、パレットを木材や樹脂材で構成した場合に比べてパレットの強度が増し、重量物の運搬や保管が可能となる。また、パレットを木材で構成した場合に比べて腐りにくく、耐用性が向上する。
【発明を実施するための最良の形態】
【００１３】
以下、本発明が適用された実施例について図面を用いて説明する。なお、本発明の実施の形態は、下記の実施例に何ら限定されることなく、本発明の技術的範囲に属する限り種々の形態を採りうる。
【００１４】
図１は実施例のパレット１を示す概略説明図である。また、図２は、実施例の上面デッキ１０、下面デッキ３０および支柱４１，４３を示す説明図である。このパレット１は、図１に示すように、略方形の天板１１と上面デッキ本体２０とからなる上面デッキ１０、下面デッキ３０、および対向する上面デッキ１０および下面デッキ３０を連結する支柱（６つの支柱４１と３つの支柱４３）から構成されている。
【００１５】
なお、以降、このパレット１において、下面デッキ３０の前枠部材３３が配されている側を「前側」とし、その反対側を「後側」とする。また、パレット１において、前側から後側を見た場合の左側を「左側」とし、その反対側を「右側」とする。さらに、上面デッキ１０の上側を「上側」とし、上面デッキ１０の下側を「下側」とする。
【００１６】
［上面デッキ１０の構成の説明］
上面デッキ１０は、図２に示すように、移動規制部としての天板１１と、上面デッキ本体２０とから構成される。このうち天板１１は、略直方体の板材である天板本体１２、前枠部材１４、後枠部材１５、左枠部材１６および右枠部材１７から構成されている。なお、これら天板１１を構成する各部材は、本実施例では金属製である。また、天板本体１２は、特許請求の範囲における載置部に該当する。
【００１７】
また、前枠部材１４は略直方体の板材である。この前枠部材１４は、水平な姿勢に配置された天板本体１２の前部から下方へ延出するよう、その端部が天板本体１２の前部に溶接にて取り付けられている。また、前枠部材１４には、ビス５０を貫通させる３つの貫通孔１４ａが設けられている。
【００１８】
また、後枠部材１５は、前枠部材１４と同様、略直方体の板材である。この後枠部材１５は、水平な姿勢に配置された天板本体１２の後部から下方へ延出するよう、その端部が天板本体１２の後部に溶接にて取り付けられている。また、後枠部材１５には、ビス５０を貫通させる３つの貫通孔１５ａが設けられている。なお、貫通孔１５ａについては、図２では図示しないがその存在位置を破線にて示している。図２において破線にて示している他の構成についても同様である。
【００１９】
また、左枠部材１６は略直方体の板材である。この左枠部材１６は、水平な姿勢に配置された天板本体１２の左部から下方へ延出するよう、その端部が天板本体１２の左部に溶接にて取り付けられている。また、左枠部材１６には、ビス５０を貫通させる３つの貫通孔１６ａが設けられている。
【００２０】
また、右枠部材１７は、左枠部材１６と同様、略直方体の板材である。この右枠部材１７は、水平な姿勢に配置された天板本体１２の右部から下方へ延出するよう、その端部が天板本体１２の右部に溶接にて取り付けられている。また、右枠部材１７には、ビス５０を貫通させる３つの貫通孔１７ａが設けられている。
【００２１】
さらに、前枠部材１４、後枠部材１５、左枠部材１６および右枠部材１７は、隣り合う端部同士を溶接することにより連結されている。
以上のように構成された天板１１における天板本体１２の下方には、天板本体１２、前枠部材１４、後枠部材１５、左枠部材１６および右枠部材１７によって囲まれた略直方体の空間が形成されている。
【００２２】
一方、上面デッキ本体２０は、左枠部材２１、右枠部材２２、前枠部材２３、後枠部材２４、中枠部材２５、２つの補強部材２６から構成される。なお、これら上面デッキ本体２０を構成する各部材は、本実施例では金属製である。
【００２３】
なお、左枠部材２１および右枠部材２２は、特許請求の範囲における「一対の対向部材」に該当する。また、前枠部材２３、後枠部材２４、中枠部材２５および補強部材２６は、特許請求の範囲における係合部材に該当する。
【００２４】
このうち、左枠部材２１は、断面が略Ｌ字の長尺部材であり、この左枠部材２１を前枠部材２３や後枠部材２４などに取り付けた際に水平となる部分（以下、水平部分と称す。）２１ａと、垂直になる部分（以下、垂直部分と称す。）２１ｂとから構成されている。なお、垂直部分２１ｂは、特許請求の範囲における係止部に該当する。このうち左枠部材２１の長さは、天板１１の天板本体１２における前後方向の長さよりも若干小さく設定されている。また、水平部分２１ａには、下面デッキ３０が支柱４１を介して上面デッキ１０に取り付けられる際に、支柱４１の先端部４１ａが取り付けられる３つの取付孔２１ｃが設けられている。なお、この取付孔２１ｃの内壁には、支柱４１の先端部４１ａに対応する雌ねじ部が形成されている。また、垂直部分２１ｂには、上面デッキ本体２０に天板１１を取り付ける際に、天板１１における左枠部材１６の貫通孔１６ａに連通し、貫通孔１６ａを挿通したビス５０が取り付けられる３つの取付孔２１ｄが設けられている。なお、この取付孔２１ｄの内壁には、後述するビス５０に対応する雌ねじ部が形成されている。また、垂直部分２１ｂにおける水平部分２１ａが延出する側からは、略直方体形状の５つの突起部２１ｅが突出している。
【００２５】
なお、右枠部材２２は、左枠部材２１とは左右対称に構成されているので、ここでは詳細な説明は省略する。
また、前枠部材２３は、断面が略方形の中空な長尺材である。この前枠部材２３の中空部分である挿入孔２３ａの内壁形状は、左枠部材２１の突起部２１ｅや右枠部材２２の突起部２２ｅがちょうどはまるような形状に形成されている。また、前枠部材２３には、下面デッキ３０が支柱４３を介して上面デッキ１０に取り付けられる際に、支柱４３の先端部４３ａが取り付けられる取付孔２３ｂが設けられている。なお、この取付孔２３ｂの内壁には、支柱４３の先端部４３ａに対応する雌ねじ部が形成されている。また、前枠部材２３には、上面デッキ本体２０に天板１１を取り付ける際に、天板１１における前枠部材１４の貫通孔１４ａに連通し、貫通孔１４ａを挿通したビス５０が取り付けられる３つの取付孔２３ｃが設けられている。
【００２６】
なお、後枠部材２４は、前枠部材２３とは前後対称に構成されているので、ここでは詳細な説明は省略する。
また、中枠部材２５は、前枠部材２３などと同様に、断面が略方形の中空な長尺材である。この中枠部材２５の中空部分である挿入孔２５ａの内壁形状は、左枠部材２１の突起部２１ｅや右枠部材２２の突起部２１ｅがちょうどはまるような形状に形成されている。また、中枠部材２５には、下面デッキ３０が支柱４３を介して上面デッキ１０に取り付けられる際に、支柱４３の先端部４３ａが取り付けられる取付孔２５ｂが設けられている。なお、この取付孔２５ｂの内壁には、支柱４３の先端部４３ａに対応する雌ねじ部が形成されている。
【００２７】
また、補強部材２６は、前枠部材２３などと同様に、断面が略方形の中空な長尺材である。この補強部材２６の中空部分である挿入孔２６ａの内壁形状は、左枠部材２１の突起部２１ｅや右枠部材２２の突起部２１ｅがちょうどはまるような形状に形成されている。
【００２８】
なお、前枠部材２３、後枠部材２４、中枠部材２５および補強部材２６の各挿入孔は、特許請求の範囲における挿入部に該当する。
以上のように構成された上面デッキ本体２０では、左枠部材２１および右枠部材２２それぞれの両端部に最も近い突起部２１ｅに前枠部材２３および後枠部材２４を取り付けた際に、左枠部材２１、右枠部材２２、前枠部材２３および後枠部材２４からなる四辺枠が、上述の天板１１に形成された内部空間よりも小さくなるよう設定されている。
【００２９】
［下面デッキ３０の構成の説明］
ところで、下面デッキ３０は、上面デッキ１０の下方に取り付けられる、左枠部材３１、右枠部材３２、前枠部材３３、後枠部材３４および中枠部材３５から構成される。なお、これら下面デッキ３０を構成する各部材は金属製である。
【００３０】
このうち、左枠部材３１は、その長さが上面デッキ１０の左枠部材２１の長さとほぼ等しい平板である。この左枠部材３１には、下面デッキ３０が支柱４１を介して上面デッキ１０に取り付けられる際に、支柱４１の先端部４１ｂが取り付けられる取付孔３１ａが設けられている。なお、この取付孔３１ａの内壁には、支柱４１の先端部４１ｂに対応する雌ねじ部が形成されている。
【００３１】
なお、右枠部材３２は、左枠部材３１とは左右対称に構成されているので、ここでは詳細な説明は省略する。
また、前枠部材３３は、その長さが上面デッキ１０の前枠部材２３の長さとほぼ等しい平板である。この前枠部材３３には、下面デッキ３０が支柱４３を介して上面デッキ１０に取り付けられる際に、支柱４３の先端部４３ｂが取り付けられる取付孔３３ａ設けられている。なお、この取付孔３３ａの内壁には、支柱４３の先端部４３ｂに対応する雌ねじ部が形成されている。
【００３２】
なお、後枠部材３４は、前枠部材３３とは前後対称に構成されているので、ここでは詳細な説明は省略する。
また、中枠部材３５は、その長さが上面デッキ１０の中枠部材２５の長さ以下である平板である。この中枠部材３５には、下面デッキ３０が支柱４３を介して上面デッキ１０に取り付けられる際に、支柱４３の先端部４３ｂが取り付けられる取付孔３５ａが設けられている。なお、この取付孔３５ａの内壁には、支柱４３の先端部４３ｂに対応する雌ねじ部が形成されている。
【００３３】
［支柱４１，４３の構成の説明］
ところで、支柱４１は棒鋼であり、その両端には、先端部４１ａおよび先端部４１ｂが形成されている。また、先端部４１ｂの長さは、下面デッキ３０の厚みとほぼ等しく設定されている。そして、これら先端部４１ａおよび先端部４１ｂには、互いに巻き方向が異なる雄ねじ部がそれぞれ形成されている。
【００３４】
また、支柱４３は、上述の支柱４１と同様に棒鋼であり、その両端には、先端部４３ａおよび先端部４３ｂが形成されている。また、先端部４３ｂの長さは、下面デッキ３０の厚みとほぼ等しく設定されている。そして、これら先端部４３ａおよび先端部４３ｂには、互いに巻き方向が異なる雄ねじ部がそれぞれ形成されている。
【００３５】
なお、支柱４１の長さおよび支柱４３の長さは、上面デッキ１０と下面デッキ３０をと支柱４１および支柱４３とを介して連結した際に、下面デッキ３０の各枠部材が水平となるよう設定されている。
【００３６】
［パレット１の組み立て手順および分解手順の説明］
次に、パレット１の組み立て手順を、図１および図２を参照して説明する。
(イ)上面デッキ本体２０を組み立てる。すなわち、図２に示すように、前枠部材２３、補強部材２６、中枠部材２５、補強部材２６、後枠部材２４を、前側からこの順番に並列配置する。この場合、前枠部材２３、中枠部材および後枠部材２４については、これらの取付孔が下側を向く姿勢とする。
【００３７】
続いて、並列配置された各枠部材の左側に、左枠部材２１を取り付ける。具体的には、並列配置された前枠部材２３、補強部材２６、中枠部材２５、補強部材２６および後枠部材２４の左側の各挿入孔に、左枠部材２１の５つの突起部２１ｅを差し入れることにより、前枠部材２３、補強部材２６、中枠部材２５、補強部材２６および後枠部材２４に左枠部材２１を取り付ける。この際、５つの突起部２１ｅが各挿入孔にちょうどはまり、左枠部材２１が左方向以外の方向へ移動するのを規制される。このことにより、前枠部材２３、補強部材２６、中枠部材２５、補強部材２６および後枠部材２４が左枠部材２１に分離可能に係合する。
【００３８】
続いて、同様に、並列配置された各枠部材の右側に、右枠部材２２を取り付ける。具体的には、並列配置された前枠部材２３、補強部材２６、中枠部材２５、補強部材２６および後枠部材２４の右側の各挿入孔に、右枠部材２２の５つの突起部２２ｅを差し入れることにより、前枠部材２３、補強部材２６、中枠部材２５、補強部材２６および後枠部材２４に右枠部材２２を取り付ける。この際、５つの突起部２１ｅが各挿入孔にちょうどはまり、右枠部材２２が右方向以外の方向へ移動するのを規制される。このことにより、前枠部材２３、補強部材２６、中枠部材２５、補強部材２６および後枠部材２４が右枠部材２２に分離可能に係合する。
【００３９】
（ロ）天板１１を上面デッキ本体２０に取り付ける。すなわち、天板１１を、上面デッキ本体２０の上方にて、天板本体１２および各枠部材に囲まれた空間部分が下向きになる姿勢とする。そして、その空間部分に上面デッキ本体２０の上部が位置するよう、天板１１を下方に移動させる。この場合、天板１１の各枠部材に設けられた各貫通孔と、上面デッキ１０の各枠部材に設けられた取付孔とを連通させる。そして、ビス５０を、天板１１の各枠部材に設けられた各貫通孔を貫通させて、上面デッキ１０の各枠部材に設けられた取付孔に取り付けることにより、天板１１を上面デッキ本体２０に取り付ける。このことにより、天板１１の左枠部材１６および右枠部材１７が、左枠部材２１および右枠部材２２を両側から挟むように対向して配置されることにより、左枠部材２１および右枠部材２２が互いに離れる方向へ移動するのを規制される。
【００４０】
以上により、左枠部材２１および右枠部材２２が全方向への移動を規制される。
（ハ）下面デッキ３０および支柱４１，４３を組み立てる。すなわち、まず、下面デッキ３０の左枠部材３１を上面デッキ１０の左枠部材２１の下方に取付孔同士が対向するように配置する。そして、下面デッキ３０の左枠部材３１に設けられた取付孔３１ａと上面デッキ１０の左枠部材２１に設けられた取付孔２１ｃとの間に、支柱４１を配置する。この場合、支柱４１の先端部４１ａが上面デッキ１０の左枠部材２１に設けられた取付孔２１ｃと対応するように、また、支柱４１の先端部４１ｂが下面デッキ３０の左枠部材３１に設けられた取付孔３１ａと対向するように配置する。そして支柱４１を所定方向に回転させることにより、支柱４１の先端部４１ａを上面デッキ１０の左枠部材２１に設けられた取付孔２１ｃに取り付けるとともに、支柱４１の先端部４１ｂを下面デッキ３０の左枠部材３１に設けられた取付孔３１ａに取り付け、下面デッキ３０の左枠部材３１を上面デッキ１０の左枠部材２１へ取り付ける。
【００４１】
同様に、下面デッキ３０の右枠部材３２を、支柱４１を介して上面デッキ１０の右枠部材２２へ取り付ける。また、同様にして、下面デッキ３０の前枠部材３３を、支柱４３を介して上面デッキ１０の前枠部材２３へ取り付け、さらに、下面デッキ３０の後枠部材３４を、支柱４３を介して上面デッキ１０の後枠部材２４へ取り付け、また、下面デッキ３０の中枠部材３５を、支柱４３を介して上面デッキ１０の中枠部材２５へ取り付ける。
【００４２】
以上のように、上面デッキ１０および下面デッキ３０が連結されると、図１に示すようなパレット１が組み上がる。
次に、パレット１の分解手順を説明する。上述のように組み立てられたパレット１は、上述の組み立て手順とは逆の手順により分解することができる。具体的には、まず、（ニ）上面デッキ１０と下面デッキ３０とを次のように分離する。すなわち、支柱４１および支柱４３を、組み立て時とは反対の方向に回転させて各支柱４１，４３の先端部４１ａ，４３ａを上面デッキ１０の各枠部材の取付孔から取り外すとともに、各支柱４１，４３の先端部４１ｂ，４３ｂを下面デッキ３０の各枠部材の取付孔から取り外す。
【００４３】
（ホ）続いて、上面デッキ１０を次のように分解する。すなわち、上面デッキ１０において、ビスを取り外して天板１１と上面デッキ本体２０とを分離する。続いて、上面デッキ本体２０において、左枠部材２１を左方向に移動させることにより、左枠部材２１の５つの突起部２１ｅを、前枠部材２３、補強部材２６、中枠部材２５、補強部材２６および後枠部材２４の各挿入孔から引き抜く。また、同様に、右枠部材２２を右方向に移動させることにより、右枠部材２２の５つの突起部２２ｅを、前枠部材２３、補強部材２６、中枠部材２５、補強部材２６および後枠部材２４の各挿入孔から引き抜く。すると、上面デッキ本体２０が分解される。
【００４４】
［効果］
このように実施例のパレット１によれば、パレット１が組み立てられた状態においては、前枠部材２３、補強部材２６、中枠部材２５、補強部材２６および後枠部材２４が左枠部材２１および右枠部材２２に分離可能に係合しており、天板１１の左枠部材１６および右枠部材１７が、左枠部材２１および右枠部材２２を両側から挟むように対向して配置されることにより、左枠部材２１および右枠部材２２が互いに離れる方向へ移動するのを規制するので、上面デッキ１０が分解不可能となる。一方、例えば天板１１を上面デッキ本体２０から取り外した場合など、天板１１による左枠部材２１および右枠部材２２の移動規制が解除された場合には、上面デッキ１０が分解可能となる。このように、従来のパレットのように上面デッキ１０の構成部材同士を溶接により接合する場合に比べて、パレット１の上面デッキ１０を容易に分解可能とすることができる。
【００４５】
また、実施例のパレット１によれば、天板１１において、左枠部材１６および右枠部材１７が天板本体１２に取り付けられて一体に構成されているので、これら左枠部材１６、右枠部材１７および天板本体１２を別体に構成する場合に比べて上面デッキ１０の部品点数を低減することができる。また、その分上面デッキ１０を分解する手間を省くことができる。
【００４６】
さらに、実施例のパレット１によれば、支柱４１の先端部４１ａおよび先端部４１ｂには、互いに巻き方向が異なる雄ねじ部がそれぞれ形成されるとともに、同様に支柱４３の先端部４３ａおよび先端部４３ｂには、互いに巻き方向が異なる雄ねじ部がそれぞれ形成されており、一方、上面デッキ１０および下面デッキ３０の各枠部材における取付孔には、各支柱の先端部に形成された雄ねじ部に対応した雌ねじ部が形成されている。このことにより、各支柱を所定方向に回転させることにより、各支柱の先端部が上面デッキ１０および下面デッキ３０の各枠部材の取付孔に同時に取り付けられ、一方、各支柱を逆方向に回転させることにより、各支柱の先端部が上面デッキ１０および下面デッキ３０の各枠部材の取付孔から同時に取り外される。このことにより、支柱４１，４３によって上面デッキ１０と下面デッキ３０とを強固に連結するとともに、支柱４１，４３によって上面デッキ１０と下面デッキ３０とを容易に分解可能とすることができる。
【００４７】
また、上面デッキ１０においては、２つの補強部材２６を備えているので、上面デッキ１０の強度を高めることができる。
また、パレット１を構成する各部材を金属で構成したので、パレット１を構成する各部材を木材や樹脂材で構成した場合に比べてパレット１の強度が増し、重量物の運搬や保管が可能となる。また、パレット１を構成する各部材を木材で構成した場合に比べて腐りにくく、耐用性が向上する。
【００４８】
［別実施例］
（１）上記実施例では、天板１１において、天板本体１２、前枠部材１４、後枠部材１５、左枠部材１６および右枠部材１７が、隣り合う端部同士を溶接することにより連結されているが、これには限られず、前枠部材１４、後枠部材１５、左枠部材１６および右枠部材１７を、隣り合う端部同士を連結することにより、天板本体１２とは別体となった四辺枠を形成してもよい。この場合、前枠部材１４および後枠部材１５が特許請求の範囲における連結部に該当する。このように構成しても上記実施例とは同様の作用効果を奏する。
【００４９】
（２）また、天板１１において、天板本体１２、前枠部材１４、後枠部材１５、左枠部材１６および右枠部材１７が、ビスやボルトなどにより隣り合う端部同士を連結してもよい。一例を挙げると、前枠部材１４、後枠部材１５、左枠部材１６および右枠部材１７側に貫通孔を設けるとともに、一方、天板本体１２の各端部に、各枠部材の貫通孔を貫通したビスやボルトを取り付けるための取付孔を設け、各枠部材の貫通孔を貫通したビスやボルトを天板本体１２の取付孔に取り付けることにより、天板１１を組み立てるといった具合である。このようにすれば、天板１１の構成部材同士を溶接により接合する場合に比べて、天板１１が容易に分解可能とすることができる。
【００５０】
（３）上記実施例では、上面デッキ本体２０において、左枠部材２１の突起部２１ｅや右枠部材２２の突起部２２ｅが略直方体形状に形成されており、一方、前枠部材２３、後枠部材２４、中枠部材２５および補強部材２６の各挿入孔の内壁形状が、左枠部材２１の突起部２１ｅや右枠部材２２の突起部２２ｅがちょうどはまるような形状に形成されているが、これには限られず、左枠部材２１が左方向以外の方向へ移動するのを規制することができれば、他の形状であってもよい。一例を挙げると、左枠部材２１や右枠部材２２の突起部が円柱形状に形成されており、一方、前枠部材２３、後枠部材２４、中枠部材２５および補強部材２６の各挿入孔の内部空間が、その突起部に外接するような略直方体となるよう形成されるといった具合である。このように構成しても、上記実施例と同様の作用効果を奏する。
【００５１】
（４）上記実施例では、上面デッキ本体２０において、左枠部材２１および右枠部材２２それぞれに突起部が設けられており、一方、前枠部材２３、後枠部材２４、中枠部材２５および補強部材２６に、上述の突起部が挿入可能な挿入孔が形成されているが、これには限られず、例えば、前枠部材２３、後枠部材２４、中枠部材２５および補強部材２６の両端に突起部を設け、一方、左枠部材２１および右枠部材２２にその突起部が挿入可能な挿入孔を設けてもよい。このように構成しても、上記実施例と同様の作用効果を奏する。
【００５２】
（５）また、上述の突起部の形状は略直方体には限られず、例えば略円柱形状など様々に構成してもよい。なおこの場合、突起部を挿入する挿入孔についても、突起部に対応した形状とする必要がある。
【００５３】
（６）また、前枠部材２３または後枠部材２４の挿入部を、挿入孔における一部を、次のように開放させた形状に形成してもよい。
（６−１）図３（ａ）に例示する後枠部材１２４の挿入部１２４ａのように、前枠部材２３または後枠部材２４の挿入部を、挿入孔における前側を開放させた形状に形成してもよい。また、同様に、前枠部材２３または後枠部材２４の挿入部を、挿入孔における後側を開放させた形状に形成してもよい。なおこの場合、天板１１の前枠部材１４または後枠部材１５が、左枠部材２１の突起部２１ｅまたは右枠部材２２の突起部２２ｅにおける側方への移動を規制することとなる。
【００５４】
（６−２）また、図３（ｂ）に例示する後枠部材１３４の挿入部１３４ａのように、同様に前枠部材２３または後枠部材２４の挿入部を、挿入孔における上側を開放させた形状に形成してもよい。なおこの場合、天板１１の天板本体１２が、左枠部材２１の突起部２１ｅまたは右枠部材２２の突起部２２ｅにおける上方への移動を規制することとなる。
【００５５】
（６−３）また、同様に前枠部材２３または後枠部材２４の挿入部を、挿入孔における下側を開放させた形状に形成してもよい。なおこの場合、左枠部材２１または右枠部材２２の水平部材が、左枠部材２１の突起部２１ｅまたは右枠部材２２の突起部２２ｅにおける下方への移動を規制することとなる。
【００５６】
（６−４）さらに、上述の別実施例（６−１）〜（６−３）の場合において、図３（ｃ）に例示する後枠部材１４４の挿入部１４４ａおよび係止片１４４ｂのように、挿入部の内部に係止片を設け、一方、左枠部材２１の突起部２１ｅまたは右枠部材２２の突起部２２ｅの先端部にフック部を設け、挿入部の内部に設けられた係止片にそのフック部を係合させることにより、左枠部材２１または右枠部材２２における側方への移動を規制するよう構成してもよい。
【００５７】
（７）上記実施例では、パレット１が組み立てられた状態においては、天板１１の左枠部材１６および右枠部材１７が、左枠部材２１および右枠部材２２を両側から挟むように対向して配置されることにより、左枠部材２１および右枠部材２２が互いに離れる方向へ移動するのを規制するが、これには限られず、例えば、図３（ｄ）に例示する左枠部材１２１の垂直部分１２１ｂ上部に設けられた係止溝１２１ｃのように、上面デッキ本体２０の左枠部材２１および右枠部材２２の垂直部分の上部に、係止部としての係止溝を設け、天板１２の左枠部材１６および右枠部材１７の下端部を差し入れることにより、左枠部材２１および右枠部材２２が互いに離れる方向へ移動するのを規制するよう構成してもよい。このように構成しても、上記実施例と同様の作用効果を奏する。
【００５８】
（８）上記実施例の上面デッキ１０の形状は略方形であるが、これには限られず、例えば上面デッキ１０を円形や、五角形などの多角形など他の形状にしてもよい。
また、上面デッキ本体２０を構成する左枠部材２１および右枠部材２２の断面形状は、略Ｌ字に限られず、方形などの多角形や円形であってもよい。
【００５９】
また、上面デッキ１０の形状や大きさに応じて、補強部材２６の本数や、支柱４１，４３の本数を増減させてもよい。但し、この場合には、例えば、補強部材２６を左枠部材２１および右枠部材２２へ取り付けるための構成や、支柱４１，４３を上面デッキ１０および下面デッキ３０に取り付けるための構成を適宜設ける必要がある。
【００６０】
（９）上記実施例では、パレット１を構成する各部材を金属で構成したが、これには限られず、パレット１を構成する各部材を金属で構成した場合のパレットの強度や耐用性が求められない用途であれば、パレット１を構成する各部材を例えば木材や樹脂材にて構成してもよい。
【図面の簡単な説明】
【００６１】
【図１】実施例のパレットを示す概略説明図である。
【図２】実施例のパレットの上面デッキ、下面デッキおよび支柱を示す説明図である。
【図３】（ａ）は上面デッキ本体の後枠部材の別実施例を示した説明図（１）であり、（ｂ）は上面デッキ本体の後枠部材の別実施例を示した説明図（２）であり、（ｃ）は上面デッキ本体の後枠部材の別実施例を示した説明図（３）であり、（ｄ）は上面デッキ本体の左枠部材の別実施例を示した説明図（１）である。
【符号の説明】
【００６２】
１…パレット、１０…上面デッキ、１１…天板、１２…天板本体、１４，２３，３３，１２１…前枠部材、１４ａ，１５ａ，１６ａ，１７ａ…貫通孔、１５，２４，３４，１２４，１３４，１４４…後枠部材、１６，２１，３１…左枠部材、１７，２２，３２…右枠部材、２０…上面デッキ本体、２１ａ，２２ａ，１２１ａ…水平部分、２１ｂ，２２ｂ，１２１ｂ…垂直部分、２１ｃ，２１ｄ，２２ｃ，２２ｄ，２３ｂ，２３ｃ，２４ｂ，２４ｃ，２５ｂ，３１ａ，３２ａ，３３ａ，３４ａ，３５ａ…取付孔、２１ｅ，２２ｅ…突起部、２３ａ，２４ａ，２５ａ，２６ａ…挿入孔、２５，３５…中枠部材、２６…補強部材、３０…下面デッキ、４１，４３…支柱、４１ａ，４１ｂ，４３ａ，４３ｂ…先端部、５０…ビス、１２１ｃ…、係止溝、１２４ａ，１３４ａ，１４４ａ…挿入部、１４４ｂ…係止片
【図１】
2005170458.tif 000003
【図２】
2005170458.tif 000004
【図３】
2005170458.tif 000005